【手続補正書】
【提出日】平成16年8月10日(2004.8.10)
【手続補正１】
【補正対象書類名】明細書
【補正対象項目名】特許請求の範囲
【補正方法】変更
【補正の内容】
【特許請求の範囲】
【請求項１】  （ａ）マイクロキャリアの識別用ステップ、及び、
（ｂ）その識別用ステップの前又はその識別用ステップの間の位置決め及び方向決めのステップ、
のステップから成るマイクロキャリアの識別用操作のための方法。
【請求項２】  その識別用ステップが識別可能な又はコード付けされたマイクロキャリアを検出するための検出ステップであることを特徴とする請求項１に基づく方法。
【請求項３】  その識別用ステップが識別可能な又はコード付けされたマイクロキャリアを得るラベル付けステップであることを特徴とする請求項１に基づく方法。
【請求項４】  マイクロキャリアがそのマイクロキャリア上に書かれたコードによりコード付けされたコード付きマイクロキャリアであることを特徴とする請求項１から３のいずれかに基づく方法。
【請求項５】  空間分解能の高い光源にマイクロキャリアを曝すことによってマイクロキャリア上に書き込まれたコードによりマイクロキャリアにコード付けすることを特徴とする請求項４に基づく方法。
【請求項６】  マイクロキャリア集団の識別用操作をするための以前の請求項のいずれかに基づく方法で、そのため、位置決めと方向決めのステップがさらに、
（ｂ．１）一層系内のマイクロキャリア集団の分布、及び、
（ｂ．２）マイクロキャリアの回転運動の制限、
から成っている方法。
【請求項７】  ステップｂ．１の分布により２寸法（Ｘ、Ｙ）を有する面構成を得られることを特徴とする請求項６に基づく方法。
【請求項８】  ステップｂ．１の分布により線構成を得られることを特徴とする請求項６に基づく方法。
【請求項９】  その分布ステップが、液体、気体又は半固体の環境内で、好ましくは層流パターンに基づくマイクロキャリアの輸送により生じることを特徴とする以前の請求項６−８のいずれかに基づく方法。
【請求項１０】  その層流パターンが毛細管内で与えられていることを特徴とする請求項９に基づく方法。
【請求項１１】  請求項１０に基づく方法で、そのため、位置決め及び方向決めのステップがマイクロキャリアに作用する磁界又は電界の結果としてマイクロキャリアの回転運動を制限していることを特徴とする方法。
【請求項１２】  先行する請求項１−１１のいずれかに基づく方法で、そのため、位置決め及び方向決めのステップが、非球形のマイクロキャリア、より特定すれば長円体又は円筒の形状のマイクロキャリアにより得られることを特徴とする方法。
【請求項１３】  マイクロキャリアの識別用操作の方法で、
ａ）上記マイクロキャリアの位置決め及び方向決め、
ｂ）その上にコードを書き込むことによる上記マイクロキャリアのコード付け、
ｃ）上記マイクロキャリアの上又は中でターゲット検体に反応を行わせること、
ｄ）上記マイクロキャリアの位置決め及び方向決め、及び、
ｅ）上記マイクロキャリアの識別、
のステップからなり、ステップ（ｃ）からステップ（ａ）に進んでも良いことを特徴とする方法。
【請求項１４】  請求項１から１３のいずれかに基づく方法で、コード決めステップはフォトクロミック作用、化学的エッチング、材料の堆積、光漂白、又は、空間分解能が高い光源による上記マイクロキャリアの露光を含むグループから選択されたプロセスを用いて行われることを特徴とする方法。
【請求項１５】  請求項１−１４のいずれかに基づく方法で、そのため、位置決め及び方向決めのステップがそのマイクロキャリア上に磁界又は電界が加えられた結果として、そのマイクロキャリアの回転運動を制限することを特徴とする方法。
【請求項１６】  以前の請求項１−１４のいずれかに基づく方法で、そのため、位置決め及び方向決めのステップがそのマイクロキャリアの非球形から、より特定すれば、そのマイクロキャリアの長円体又は円筒の形状から得られていることを特徴とする方法。
【請求項１７】  請求項１−１６のいずれかに基づく方法で、その位置決め及び方向決めのステップがフローセル内で生じることを特徴とする方法。
【請求項１８】  請求項１−１７のいずれかに基づく方法で、その識別ステップが光学的識別手段を用いて行われることを特徴とする方法。
【請求項１９】  請求項１８に基づく方法で、上記光学的識別手段がレーザービーム又は透過顕微鏡又は共焦点顕微鏡又は蛍光顕微鏡を含むことを特徴とする方法。
【請求項２０】  以前の請求項１−１９のいずれかに基づく方法で、そのコード付けがマイクロキャリア上へのコードの書込みから成っていて、そのため、そのコードはそのマイクロキャリアの内部又はその外面上に生じた空間的変調により生じることを特徴とする方法。
【請求項２１】  請求項２０に基づく方法で、その空間的変調がそのマイクロキャリアの内部又は表面上に位置する有限数の識別可能な体積要素の既知の配置であることを特徴とする方法。
【請求項２２】  請求項１９又は２０に基づく方法で、その空間的変調が、
（ｉ）    個々の体積要素内の物質の１以上の特性を変化すること、
（ｉｉ）  個々の体積要素から物質を除去すること、
（ｉｉｉ）個々の体積要素上に物質を堆積すること、
（ｉｖ）  個々の体積要素を変化させないこと、又は、
その組合わせにより発生することを特徴とする方法。
【請求項２３】  顕微鏡のような識別用手段、又は、空間分解能が高い光源のようなラベル付け手段及びマイクロキャリアの位置決めと方向決めの手段から成るマイクロキャリアの識別用操作のための装置。
【請求項２４】  請求項２３に基づく装置で、そのため、そのマイクロキャリアの位置決めと方向決めのための手段が、それぞれ、少なくとも１個のマイクロキャリアを収容するのに適当ないくつかのウエルを含む固体サポート、及び、回転制限手段を含んでいることを特徴とする装置。
【請求項２５】  請求項２４に基づく装置で、そのため、回転制限手段が磁界及び／又は電界により提供されることを特徴とする装置。
【請求項２６】  請求項２３に基づく装置で、さらに、マイクロキャリアの集団を収容するのに適当なリザーバーを含み、そのリザーバーが毛細管及びその毛細管内に層流パターンを生じるための差圧発生手段に接続できることを特徴とする装置。
【請求項２７】  請求項２６に基づく装置で、そのマイクロキャリアの回転を制限するために、磁界及び／又は電界を設けていることを特徴とする装置。
【請求項２８】 高処理量のスクリーニングアッセイにおける請求項１−２２のいずれかいに記載の方法。
【請求項２９】 高処理量のスクリーニングアッセイにおける請求項２３−２７のいずれかに記載の装置の使用方法。
【請求項３０】 マイクロキャリアの識別用操作のための装置に結合され、
（ａ）  少なくとも１つの識別用手段及び標識手段、および、
（ｂ）  マイクロキャリアの位置決め及び方向決めのための手段、
を含んでなることを特徴とする、
マイクロキャリアを用いたターゲット検体のアッセイを監視するためのコンピューター。
【請求項３１】 請求項３０に記載のコンピューター、およびマイクロキャリアの識別用操作のための装置を含んでなり、
（ａ）  少なくとも１つの識別用手段及び標識手段、および、
（ｂ）  マイクロキャリアの位置決め及び方向決めのための手段を含んで成る、
ターゲット検体のアッセイを監視するための装置。